(57)【特許請求の範囲】
【請求項１】
側面に吊りボルトが取り付けられるとともにその側面の上方に上面を有する部材を吊り上げる際に使用される吊り具であって、
下部に前記吊りボルトに引っ掛け可能なフック部が形成されるとともに上部に吊り穴が形成されるプレート本体と、
前記部材の上面に載せられるとともに側縁部が前記プレート本体に沿って立ち上げられる押付け部と、
前記押付け部の側縁部と前記プレート本体とを、前記プレート本体の長手方向にスライド可能となるように接続させるとともに、前記プレート本体に沿って上方に延びる棒状部を有する連結部と、
前記棒状部の上端を挿通させる庇部が形成されるとともに、前記プレート本体に前記吊り穴よりも下方の位置で固定される作用部と、
前記庇部と前記押付け部との間の応力伝達経路に介在されるバネ部とを備えたことを特徴とする吊り具。
【請求項２】
前記押付け部は、前記上面よりも長く張り出されるとともに、その縁部には下方に延びる垂下部が設けられることを特徴とする請求項１に記載の吊り具。
【請求項３】
前記庇部と前記吊り穴との間に、前記棒状部の上昇を阻止するストッパ部を備えたことを特徴とする請求項１又は２に記載の吊り具。
【請求項４】
前記バネ部は、前記棒状部に装着されるコイルバネであって、上端が前記庇部の下面に接するとともに、下端は前記連結部に対して相対的に一定位置となるように接続されていることを特徴とする請求項１乃至３のいずれか一項に記載の吊り具。
【発明の詳細な説明】
【技術分野】
【０００１】
本発明は、屋根パネルや梁材などの部材を吊り上げる際に使用される吊り具に関するものである。
【背景技術】
【０００２】
屋根パネルをクレーンで吊り上げる際に、屋根パネルの側縁に取り付けられてクレーンのフックとの間に介在される、様々な形態の吊り具が知られている(特許文献１−４など参照)。
【０００３】
ここで、特許文献４に開示された棟部吊り金物は、抜け止め部材を備えており、地上からロープを操作することによって、抜け止め機構を解除できる構成となっている。
【０００４】
さらに、特許文献５に開示された建築部材吊下げ具も、引っ張り紐を下から引くことによってバネで回動する挿入部を建築部材から引き抜くことができるようになっている。
【０００５】
また、特許文献６に開示された吊り具は、吊り上げ対象となる梁の両側面を挟持させる一対の側面挟持板が、リンク機構によって閉じたり開いたりが自在にできる構成となっている。
【先行技術文献】
【特許文献】
【０００６】
【特許文献１】特開平８−３０１５７４号公報
【特許文献２】特開昭６３−２５５４４３号公報
【特許文献３】実開平５−３４９６号公報
【特許文献４】特開平１０−２０５０４８号公報
【特許文献５】実開平４−７３１６１号公報
【特許文献６】実開平５−３００６６号公報
【発明の概要】
【発明が解決しようとする課題】
【０００７】
しかしながら屋根パネルを敷き詰める場合には、隣接する屋根パネルが邪魔になるので、特許文献１−６に開示された吊り具の中には、設置後に取り外すことができない形態のものがある。
【０００８】
また、吊り具を介して大きな力が部材に作用すると、変形や損傷の原因になるため、吊り上げ時に過度の力を部材に作用させることのない吊り具が望まれる。
【０００９】
そこで、本発明は、狭い隙間からも取り外しが容易にできるうえに、吊り上げ時の部材に過度の力を作用させることのない吊り具を提供することを目的としている。
【課題を解決するための手段】
【００１０】
前記目的を達成するために、本発明の吊り具は、側面に吊りボルトが取り付けられるとともにその側面の上方に上面を有する部材を吊り上げる際に使用される吊り具であって、下部に前記吊りボルトに引っ掛け可能なフック部が形成されるとともに上部に吊り穴が形成されるプレート本体と、前記部材の上面に載せられるとともに側縁部が前記プレート本体に沿って立ち上げられる押付け部と、前記押付け部の側縁部と前記プレート本体とを、前記プレート本体の長手方向にスライド可能となるように接続させるとともに、前記プレート本体に沿って上方に延びる棒状部を有する連結部と、前記棒状部の上端を挿通させる庇部が形成されるとともに、前記プレート本体に前記吊り穴よりも下方の位置で固定される作用部と、前記庇部と前記押付け部との間の応力伝達経路に介在されるバネ部とを備えたことを特徴とする。
【００１１】
ここで、前記押付け部は、前記上面よりも長く張り出されるとともに、その縁部には下方に延びる垂下部が設けられる構成とすることができる。また、前記庇部と前記吊り穴との間に、前記棒状部の上昇を阻止するストッパ部を備えた構成とすることができる。
【００１２】
さらに、前記バネ部は、前記棒状部に装着されるコイルバネであって、上端が前記庇部の下面に接するとともに、下端は前記連結部に対して相対的に一定位置となるように接続されている構成とすることができる。
【発明の効果】
【００１３】
このように構成された吊り具は、吊り上げられる部材の側面に取り付けられた吊りボルトにフック部を引っ掛ける。また、このフック部が設けられたプレート本体は、スライド可能に構成されている。さらに、部材の上面に載せられる押付け部に対してプレート本体から作用する力の応力伝達経路には、バネ部が介在されている。
【００１４】
このため、部材の側面に隣接して他の部材が設置されて狭い隙間しかない場合でも、プレート本体を上下させることで容易に取り外して回収することができる。
【００１５】
さらに、吊り上げる際の力は、バネ部を介して部材の上面に伝達されるので、過度の力が上面などに作用することがなく、部材の変形や損傷を防ぐことができる。
【００１６】
また、押付け部の縁部に垂下部が設けられていれば、プレート本体が部材の側面から離れる方向に移動しようとしても、垂下部が上面に引っ掛かって阻止されるので、吊りボルトを支点とする大きなモーメントが作用してプレート本体を変形させる事態の発生を防ぐことができる。
【００１７】
さらに、棒状部の過度の上昇を阻止するストッパ部が設けられていれば、吊り上げ中などの意図せぬ時機にフック部が吊りボルトから外れるのを確実に防ぐことができる。
【００１８】
そして、庇部と押付け部との間の応力伝達経路にバネ部を介在させる構成は、コイルバネと棒状部とを組み合わせることによって、容易に製作することができる。
【図面の簡単な説明】
【００１９】
【図１】本発明の実施の形態の吊り具の構成を示す図であって、（ａ）は正面図、（ｂ）は（ａ）のＡ−Ａ矢視方向で見た側面図である。
【図２】本発明の実施の形態の吊り具の構成を示す背面図である。
【図３】吊り具の取り付け又は取り外しの作業を説明する図であって、（ａ）はストッパ部を解除した状態を示した説明図、（ｂ）はストッパ部をロックした状態を示した説明図である。
【図４】吊り上げ時の吊り具の傾いた状態を示した説明図である。
【図５】吊り具を使用して屋根パネルを吊り上げている状態を示した説明図である。
【図６】吊り具を使用して隣接して屋根パネルを並べた状態を示した断面図である。
【図７】実施例の吊り具の構成を示す図であって、（ａ）は正面図、（ｂ）は（ａ）は側面図である。
【発明を実施するための形態】
【００２０】
以下、本発明の実施の形態について図面を参照して説明する。図１，２は、本実施の形態の吊り具１の構成を説明するための、正面図、側面図及び背面図である。
【００２１】
本実施の形態では、この吊り具１によって吊り上げられる部材を、図５に示すような屋根パネルＰ１として説明する。この屋根パネルＰ１は、側縁を形成する一対の屋根フレームＰ２，Ｐ２を備えている。
【００２２】
この屋根フレームＰ２は、図１に示すように、幅の広い下フランジＰ２１と、それよりも幅が狭い上フランジＰ２３と、平行に配置された下フランジＰ２１と上フランジＰ２３との側縁間を繋ぐウェブＰ２２とによって、断面視略Ｃ字形又はコ字形に形成される。
【００２３】
そして、吊り具１は、屋根パネルＰ１の側面となるウェブＰ２２の下部に取り付けられる吊りボルト１１に引っ掛けられる。この吊りボルト１１は、ナット１１ａを使ってウェブＰ２２に固定される。なお、ウェブＰ２２に連続する上面として、上フランジＰ２３が形成されている。
【００２４】
本実施の形態の吊り具１は、ウェブＰ２２に沿って配置される長尺板状のプレート本体２と、上フランジＰ２３に載せられる押付け部３と、押付け部３とプレート本体２とをスライド可能となるように接続させる連結部４と、プレート本体２に固定される作用部５０と、作用部５０と押付け部３との間の応力伝達経路に介在されるバネ部４２と、ストッパ部６とを備えている。
【００２５】
プレート本体２の下部には、吊りボルト１１に引っ掛け可能なフック部２２が形成される。このフック部２２は、プレート本体２の長手方向に延びる溝を有しており、この溝の深さの範囲内であれば、吊りボルト１１から外れることなくスライドさせることができる。
【００２６】
また、プレート本体２の上部には、フックＦ１（図４参照）が装着される吊り穴２１が形成される。さらに、プレート本体２の中央付近には、図２に示すように長手方向に延びる長穴２３が設けられる。この長穴２３の範囲内で、押付け部３のスライドが可能になる。
【００２７】
この押付け部３は、図１(ｂ)に示すように上フランジＰ２３に載せられる載置部３１と、載置部３１の一方の縁部からプレート本体２に沿って立ち上げられる側縁部３２と、載置部３１の他方の縁部から下方に延びる垂下部３３とによって主に構成される。
【００２８】
この載置部３１は、略水平な面に形成され、側縁部３２及び垂下部３３は、載置部３１に略直交する面に形成される。要するに、載置部３１と側縁部３２とは、断面視略Ｌ字形に成形される。
【００２９】
一方、連結部４は、押付け部３の側縁部３２とプレート本体２とを接続させるボルト４４と、そのボルト４４に下部が接続される下金具４３と、下金具４３の上部からプレート本体２に沿って上方に延びる棒状部としての長ボルト４１とによって主に構成される。
【００３０】
下金具４３は、載置部３１と略平行となるように張り出される張出片４３ａと、その張出片４３ａのプレート本体２側の縁部から垂下される垂下片４３ｂとによって、断面視略Ｌ字形に成形される。
【００３１】
そして、ボルト４４は、図１(ｂ)に示すように、下金具４３の垂下片４３ｂ及び押付け部３の側縁部３２を通ってプレート本体２の背面側に突出され、先端にナット４４ａ，４４ａが装着される。
【００３２】
このナット４４ａ，４４ａの締付け力の大きさによって、押付け部３とプレート本体２との間でスライドを起こさせる際の抵抗力（摩擦力）の大きさを調整することができる。
【００３３】
下金具４３の張出片４３ａにナット４１ｂによって固定される長ボルト４１は、作用部５０の庇部５を貫通する長さに成形される。そして、長ボルト４１には、コイルバネであるバネ部４２が装着される。
【００３４】
このバネ部４２の下端は、ナット４１ｂの上面に載せられる。すなわち、バネ部４２の下端は、連結部４に対して相対的に一定位置となるように接続される。
【００３５】
ここで、バネ部４２の下端とナット４１ｂとは、溶接などで接合させてもよい。一方、バネ部４２のの上端は、庇部５の下面に接触させる。この庇部５は、作用部５０の下面を形成する。
【００３６】
作用部５０は、下金具４３の張出片４３ａに略平行に張り出される庇部５と、その庇部５のプレート本体２側の縁部から立ち上げられる壁部５１とによって、断面視略Ｌ字形に成形される。
【００３７】
この作用部５０は、下金具４３よりも上方で、かつ吊り穴２１よりも下方の位置に固定される。詳細には、壁部５１を貫通させるボルト５２，５２と、プレート本体２の背面側においてそれらのボルト５２，５２に装着されるナット５２ａ，５２ａとによって、作用部５０がプレート本体２に固定される。
【００３８】
また、庇部５には、長ボルト４１の上部を抵抗なく挿通させるための貫通穴が設けられている。要するに貫通穴は、内径が長ボルト４１の外径よりも大きくなるように穿孔されている。
【００３９】
そして、プレート本体２に固定された作用部５０の庇部５が、バネ部４２の上端を押すと、バネ部４２によって伝達される力はナット４１ｂを介して下金具４３に伝達される。
【００４０】
ここで、長ボルト４１は、庇部５の貫通穴に挿通されているので、庇部５から長ボルト４１に直接、力が伝達されることはない。そして、バネ部４２を介して伝達された力は、下金具４３の垂下片４３ｂからボルト４４を介して押付け部３に伝達される。
【００４１】
すなわち、作用部５０の庇部５と押付け部３との間の応力伝達経路には、バネ部４２が介在されている。このため、バネ部４２によって緩衝された力が、作用部５０から押付け部３に伝達されることになる。
【００４２】
このような庇部５と押付け部３との間の応力伝達経路にバネ部４２を介在させる構成は、コイルバネと長ボルト４１とを組み合わせることによって、容易に製作することができる。
【００４３】
ストッパ部６は、庇部５と吊り穴２１との間に取り付けられる。このストッパ部６は、長ボルト４１の過度の上昇を阻止するために取り付けられる。本実施の形態で説明するストッパ部６は、ロックと解除の切り替えが可能な開閉式のストッパ部６である。
【００４４】
このストッパ部６は、プレート本体２にネジ６２ａ，６２ａによって固定される固定片６２と、固定片６２に対してヒンジ接続される開閉片６１と、開閉片６１を可動させるための解除ボタン６３とを備えている。
【００４５】
このストッパ部６は、開閉片６１を、少なくとも固定片６２に重なる位置（０°：図３（ａ））と、固定片６２に対して直角となる位置（９０°：図３（ｂ））とに固定することができる。そして、解除ボタン６３を押すことによって、この固定を解除することができる。
【００４６】
次に、本実施の形態の吊り具１を使用した屋根パネルＰ１の吊り上げ方法について説明する。
【００４７】
まず、図３(ａ)に示すように、ストッパ部６を、開閉片６１と固定片６２とが重なった状態、すなわち解除状態にしておく。この解除状態であれば、長ボルト４１の上昇が阻止されることはない。
【００４８】
この解除状態で屋根パネルＰ１の側面を形成する屋根フレームＰ２に吊り具１を取り付ける。吊り具１は、屋根フレームＰ２の上フランジＰ２３に押付け部３の載置部３１を載せ、プレート本体２の内側面をウェブＰ２２に接触させる。
【００４９】
そして、プレート本体２の上端を図３(ａ)の矢印で示したように下向きに押し下げ、上フランジＰ２３に沿って横方向に吊り具１を滑らせることで、フック部２２の開口を吊りボルト１１の位置に合わせる。そして、フック部２２の溝の上端まで吊りボルト１１を取り込む。
【００５０】
このようにして吊りボルト１１がフック部２２の上下方向に延びる溝の上端に来たときに押し下げる力を弱めると、バネ部４２が伸びてプレート本体２が上昇し、図３(ｂ)に示すような吊りボルト１１にフック部２２が引っ掛かった状態になる。
【００５１】
このようにして屋根フレームＰ２の吊りボルト１１に引っ掛けられた吊り具１の吊り穴２１に、図４に示すような吊りワイヤＦ２の先端のフックＦ１を引っ掛ける。
【００５２】
ここで、吊り具１は、屋根パネルＰ１を吊り上げた状態のときには傾くことになる。この吊り具１の傾きが、上フランジＰ２３に対して６０°以上であれば、長ボルト４１の先端がストッパ部６に当たることはなく、バネ部４２を機能させることができる。
【００５３】
図５は、工場などで製作過程において、吊り具１，・・・を使用して屋根パネルＰ１を吊り上げている状態を示した斜視図である。このため、屋根パネルＰ１としては、一対の屋根フレームＰ２，Ｐ２と、それらに架け渡される野地板Ｐ３だけが図示されている。
【００５４】
それぞれの屋根フレームＰ２に対して、長手方向に間隔を置いた２箇所に吊り具１，１が取り付けられ、吊りワイヤＦ２の先端のフックＦ１，Ｆ１が引っ掛けられる。
【００５５】
また、両側の吊りワイヤＦ２，Ｆ２は、天秤棒Ｆ３の両端に吊るされ、クレーンＦによって天秤棒Ｆ３ごと吊り上げられる。このような吊り荷の状態は、建築現場において完成した屋根パネルＰ１を吊り上げるときも同じである。
【００５６】
図６は、屋根梁Ｈ１の上に先行して屋根パネルＰ１（図６の右側）が設置されてボルトＰ５で固定されているときに、それに隣接して別の屋根パネルＰ１（図６の左側）を吊り具１を使って吊り上げて設置した直後の状態を示している。
【００５７】
この屋根パネルＰ１，Ｐ１間の隙間は、屋根フレームＰ２，Ｐ２のウェブＰ２２，Ｐ２２間の離隔という非常に狭いものとなる。この屋根パネルＰ１は、野地板Ｐ３の上が予め屋根ふき材Ｐ４によって覆われており、さらに太陽電池モジュールＰ６も組み込まれた状態となっている。
【００５８】
このため、吊り具１を効率よく取り外すことができれば、短時間で建物の屋根を構築することができるようになる。この吊り具１を取り外す際には、まずストッパ部６の解除ボタン６３を押して開閉片６１を上に上げる。
【００５９】
続いて、取り付け時と同様に吊り具１の上端を押し下げ、吊りボルト１１がフック部２２の溝の上端に接触した時点で吊り具１を横移動させ、吊りボルト１１をフック部２２の開口から外部に導いて引っ掛かりを解除する。
【００６０】
こうしてフック部２２の吊りボルト１１に対する引っ掛かりが解除されると、吊り具１は上方に引き抜くことができる。このようにして回収された吊り具１は、他の屋根パネルＰ１を吊り上げる際に再利用される。
【００６１】
次に、本実施の形態の吊り具１の作用について説明する。
【００６２】
このように構成された本実施の形態の吊り具１は、吊り上げられる屋根パネルＰ１の屋根フレームＰ２に取り付けられた吊りボルト１１にフック部２２を引っ掛ける。また、このフック部２２が設けられたプレート本体２は、押付け部３に対してスライド可能に構成されている。
【００６３】
このため、図６に示すように、屋根フレームＰ２のウェブＰ２２に隣接して他の屋根フレームＰ２のウェブＰ２２が設置されて狭い隙間しかないような場合でも、プレート本体２を上下させることで吊りボルト１１の拘束を解除して容易に回収することができる。
【００６４】
さらに、屋根フレームＰ２の上フランジＰ２３に載せられる押付け部３に対してプレート本体２から作用する力の応力伝達経路には、バネ部４２が介在されている。
【００６５】
吊りボルト１１による接点に加えて押付け部３の接点を設けることによって、屋根フレームＰ２を上下で挟持させることができるようになるので、屋根パネルＰ１を姿勢が安定した状態で吊り上げることができる。
【００６６】
また、吊り上げる際に押付け部３を介して上フランジＰ２３に作用する力は、バネ部４２を介して伝達されるので、過度の力が作用することがなく、屋根フレームＰ２の変形や損傷を防ぐことができる。
【００６７】
さらに、押付け部３の縁部に垂下部３３が設けられていれば、プレート本体２が屋根フレームＰ２のウェブＰ２２から離れる方向に移動しようとしても、垂下部３３が上フランジＰ２３に引っ掛かって阻止される。
【００６８】
これに対して垂下部３３がないとそのまま離隔が広がっていき、プレート本体２に吊りボルト１１を支点する大きなモーメントが作用してプレート本体２を変形させるおそれがある。すなわち、垂下部３３を設けてプレート本体２と屋根フレームＰ２との離隔を阻止することで、プレート本体２の変形を防ぐことができる。
【００６９】
また、連結部４の長ボルト４１の過度の上昇を阻止するストッパ部６が設けられていれば、吊り上げ中などの意図せぬ時機にフック部２２が吊りボルト１１から外れるのを確実に防ぐことができる。
【実施例】
【００７０】
以下、前記した実施の形態とは別の形態の実施例について、図７を参照しながら説明する。なお、前記実施の形態で説明した内容と同一乃至均等な部分の説明については、同一用語又は同一符号を付して説明する。
【００７１】
前記実施の形態では、長ボルト４１の下端に下金具４３を接続させた連結部４について説明したが、本実施例では、略Ｌ字形のＬ形ボルト４０を使った連結部４Ａの構成について説明する。
【００７２】
本実施例の吊り具１Ａは、ウェブＰ２２に沿って配置される長尺板状のプレート本体２Ａと、上フランジＰ２３に載せられる押付け部３Ａと、押付け部３Ａとプレート本体２Ａとをスライド可能となるように接続させる連結部４Ａと、プレート本体２Ａに固定される作用部５０Ａと、作用部５０Ａと押付け部３Ａとの間の応力伝達経路に介在されるバネ部４２Ａと、ストッパ部７とを備えている。
【００７３】
このプレート本体２Ａは、下部に吊りボルト１１に引っ掛け可能なフック部２２Ａが形成され、上部にフックＦ１が装着される吊り穴２１Ａが形成され、中央付近に長手方向に延びる長穴２３Ａが形成される。
【００７４】
また、押付け部３Ａは、図７(ｂ)に示すように上フランジＰ２３に載せられる載置部３１Ａと、載置部３１Ａの一方の縁部からプレート本体２Ａに沿って立ち上げられる側縁部３２Ａと、載置部３１Ａの他方の縁部から下方に延びる垂下部３３Ａとによって主に構成される。
【００７５】
さらに、作用部５０Ａは、押付け部３Ａの載置部３１Ａに略平行に張り出される庇部５Ａと、その庇部５Ａのプレート本体２Ａ側の縁部から立ち上げられる壁部５１Ａ，５１Ａとを備えている。ここで、壁部５１Ａ，５１Ａとプレート本体２Ａとは、溶接によって接合される。
【００７６】
一方、庇部５Ａと押付け部３Ａとを連結させる連結部４Ａは、上部に棒状部４１Ａが形成される略Ｌ字形のＬ形ボルト４０によって主に構成される。このＬ形ボルト４０は、押付け部３Ａの側縁部３２Ａとプレート本体２Ａとを接続させる短辺部４４Ａと、その短辺部４４Ａに略直交してプレート本体２Ａに沿って上方に延びる棒状部４１Ａとを備えている。
【００７７】
この棒状部４１Ａの庇部５Ａよりも上方に突出する先端には、上ナット４１１が装着される。また、バネ部４２Ａの下端を受けさせるために、下ナット４１２が棒状部４１Ａの下部に装着される。
【００７８】
また、図７(ｂ)に示すように、押付け部３Ａの側縁部３２Ａを通ってプレート本体２Ａの背面側に突出される短辺部４４Ａには、ナット４５Ａ，４５Ｂが装着される。
【００７９】
このプレート本体２Ａの両側に装着されるナット４５Ａ，４５Ｂの締付け力の大きさによって、押付け部３Ａとプレート本体２Ａとの間でスライドを起こさせる際の抵抗力（摩擦力）の大きさを調整することができる。
【００８０】
また、本実施例で説明するストッパ部７は、ボルト７１と、そのボルト７１をプレート本体２Ａに固定するための固定ナット７２とによって構成される。なお、前記実施の形態で説明したストッパ部６を取り付けることもできる。
【００８１】
固定ナット７２は、プレート本体２Ａの背面に固着されており、棒状部４１Ａの過度の上昇を阻止したいときにだけ、固定ナット７２にボルト７１をねじ込んで、棒状部４１Ａの上方に突出させる。
【００８２】
このように構成された実施例の吊り具１Ａは、連結部４Ａの主構造をＬ形ボルト４０だけで構成することができる。また、ボルト７１という安価な部材でストッパ部７を構成することができる。
【００８３】
なお、他の構成及び作用効果については、前記実施の形態と略同様であるので説明を省略する。
【００８４】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００８５】
例えば、前記実施の形態では、吊り上げられる部材を屋根パネルＰ１として説明したが、これに限定されるものではなく、様々な部材の吊り上げに上述した吊り具１，１Ａを使用することができる。
【符号の説明】
【００８６】
１，１Ａ        吊り具
１１            吊りボルト
２，２Ａ        プレート本体
２１，２１Ａ    吊り穴
２２，２２Ａ    フック部
３，３Ａ        押付け部
３１，３１Ａ    載置部
３２，３２Ａ    側縁部
３３，３３Ａ    垂下部
４，４Ａ        連結部
４１            長ボルト（棒状部）
４１Ａ          棒状部
４２，４２Ａ    バネ部
５，５Ａ        庇部
５０，５０Ａ    作用部
６              ストッパ部
７              ストッパ部
Ｆ１            フック
Ｐ１            屋根パネル（部材）
Ｐ２２          ウェブ（側面）
Ｐ２３          上フランジ（上面）
【図１】
0006302382.tif 000002
【図２】
0006302382.tif 000003
【図３】
0006302382.tif 000004
【図４】
0006302382.tif 000005
【図５】
0006302382.tif 000006
【図６】
0006302382.tif 000007
【図７】
0006302382.tif 000008